(57)【要約】【課題】防塵カバーをサイドシールに取り付ける際に、多くの手間を要したりサイドシールのシール性を低下させたりすることなく防塵カバーをサイドシールに取り付けることのできるリニアガイド用防塵カバーの取付け方法を提供する。【解決手段】互いに嵌合する雄側ジョイント部材１９と雌側ジョイント部材２０とからなり、雄側ジョイント部材１９が防塵カバー１４の端板１５に形成された貫通孔２１よりも直径の小さい外周面を有すると共にサイドシール固定用ビス１７の頭部と嵌合する凹部を一端面部に有し、かつ雌側ジョイント部材２０が貫通孔２１よりも直径の大きい外周面を有するスナップ式ジョイント具１８を用いて、防塵カバー１４をサイドシール１３に取り付けるようにする。【選択図】図１
2007002874.tif 000002
【特許請求の範囲】
【請求項１】
サイドシール固定用ビスによりリニアガイド装置のスライダ端面に取り付けられたサイドシールに、前記リニアガイド装置のレール断面形状に合わせて概ねコ字形に形成された端板を有する防塵カバーを取り付けるに際して、互いに嵌合する雄側ジョイント部材と雌側ジョイント部材とからなり、前記雄側ジョイント部材が前記端板に形成された貫通孔よりも直径の小さい外周面を有すると共に前記サイドシール固定用ビスの頭部と嵌合する凹部を一端面部に有し、かつ前記雌側ジョイント部材が前記貫通孔よりも直径の大きい外周面を有するスナップ式ジョイント具を用いて、前記防塵カバーを前記サイドシールに取り付けるようにしたことを特徴とするリニアガイド用防塵カバーの取付け方法。
【発明の詳細な説明】
【技術分野】
【０００１】
本発明は、リニアガイド装置に用いられる防塵カバーの取付け方法に関する。
【背景技術】
【０００２】
一般に、リニアガイド装置は案内レールの上面部や側面部に切削屑などの異物が付着したり塵埃が堆積したりするとスライダをスムーズに作動させることが困難になることがある。そこで、図４に示すように、スライダ１２の端面部に装着されたサイドシール１３に、案内レール１１の断面形状に合わせて概ねコ字形に形成された一対の端板１５と、これらの端板１５に両端部を接合された蛇腹部材１６とからなる防塵カバー１４を取り付け、この防塵カバー１４により案内レール１１の上面部と左右側面部を覆うようにしたものが知られている（特許文献１または特許文献２または特許文献３参照）。
【特許文献１】実開平３−３８４２２号公報
【特許文献２】実公平６−２４５７７号公報
【特許文献３】特開平９−２６４３２３号公報
【発明の開示】
【発明が解決しようとする課題】
【０００３】
このようなリニアガイド装置によると、案内レール１１の上面部や側面部に異物が付着したり塵埃が堆積したりすることを防塵カバー１４によって防止することができるが、次のような問題点があった。すなわち、防塵カバー１４をサイドシール１３に取り付ける場合、従来においては、スライダ本体１２１とエンドキャップ１２２とからなるスライダ１２の端面にサイドシール１３を止着するサイドシール固定用ビス１７（図４参照）を用いて防塵カバー１４をサイドシール１３に取り付けている。このため、防塵カバー１４をサイドシール１３に取り付ける際には、スライダ本体１２１の端面部に形成された螺子穴からサイドシール固定用ビス１７を取り外し、防塵カバー１４の端板１５に形成された貫通孔にサイドシール固定用ビス１７を通した後、スライダ本体１２１の端面部に形成された螺子穴にサイドシール固定用ビス１７を再度ねじ込む必要があるため、防塵カバー１４の取付けに多くの手間を要していた。
【０００４】
また、防塵カバー１４をサイドシール１３に取り付ける際に、サイドシール固定用ビス１７に加えられる締付トルクが大き過ぎると案内レール１１から離れる方向にサイドシール１３が変形し、サイドシール１３のシール性が低下するという問題点もあった。
本発明は、このような問題点に着目してなされたもので、防塵カバーをサイドシールに取り付ける際に、多くの手間を要したりサイドシールのシール性を低下させたりすることなく防塵カバーをサイドシールに取り付けることのできるリニアガイド用防塵カバーの取付け方法を提供することを目的とするものである。
【課題を解決するための手段】
【０００５】
上記の目的を達成するために、本発明に係るリニアガイド用防塵カバーの取付け方法は、サイドシール固定用ビスによりリニアガイド装置のスライダ端面に取り付けられたサイドシールに、前記リニアガイド装置のレール断面形状に合わせて概ねコ字形に形成された端板を有する防塵カバーを取り付けるに際して、互いに嵌合する雄側ジョイント部材と雌側ジョイント部材とからなり、前記雄側ジョイント部材が前記端板に形成された貫通孔よりも直径の小さい外周面を有すると共に前記サイドシール固定用ビスの頭部と嵌合する凹部を一端面部に有し、かつ前記雌側ジョイント部材が前記貫通孔よりも直径の大きい外周面を有するスナップ式ジョイント具を用いて、前記防塵カバーを前記サイドシールに取り付けるようにしたことを特徴とする。
【発明の効果】
【０００６】
本発明に係るリニアガイド用防塵カバーの取付け方法では、サイドシール固定用ビスをスライダ本体の螺子穴から取り外したりすることなく防塵カバーをサイドシールに取り付けることが可能となるので、防塵カバーをサイドシールに取り付ける際に、多くの手間を要したりサイドシールのシール性を低下させたりすることなく防塵カバーをサイドシールに取り付けることができる。
【発明を実施するための最良の形態】
【０００７】
以下、図１〜図３を参照して本発明に係るリニアガイド用防塵カバーの取付け方法について説明する。なお、図４に示したものと同一部分には同一符号を付し、その部分の詳細な説明は割愛する。
図１において符号１８は防塵カバー１４をサイドシール１３に取り付けるときに用いられるスナップ式ジョイント具で、このスナップ式ジョイント具１８は、互いに嵌合する雄側ジョイント部材１９と雌側ジョイント部材２０とから構成されている。
【０００８】
雄側ジョイント部材１９は、図２に示すように、端板１５に形成された貫通孔２１よりも直径の小さい外周面１９１を有しており、従って、雄側ジョイント部材１９は貫通孔２１を通過可能となっている。また、雄側ジョイント部材１９は円形状の端面部１９２，１９３（図２参照）を有しており、これらの端面部のうち一方の端面部（例えば端面部１９２）には、サイドシール固定用ビス１７の頭部１７１と嵌合する凹部２２が形成されている。
【０００９】
雌側ジョイント部材２０は、図３に示すように、端板１５に形成された貫通孔２１よりも直径の大きい外周面２０１を有しており、従って、雌側ジョイント部材２０は貫通孔２１を通過不能となっている。また、雌側ジョイント部材２０は雄側ジョイント部材１９と嵌合する円形状の凹部２０２（図３参照）を有しており、この凹部２０２の内周面には、雄側ジョイント部材１９の外周面に形成された段部２３（図２参照）と係合する爪部２４が設けられている。
【００１０】
このようなスナップ式ジョイント具１８を用いて防塵カバー１４をサイドシール１３に取り付ける場合は、先ず、サイドシール固定用ビス１７の頭部１７１を雄側ジョイント部材１９の凹部２２に嵌め込み、雄側ジョイント部材１９をリニアガイド装置側に固定しておく。次に、防塵カバー１４の端板１５に形成された貫通孔２１を雌側ジョイント部材２０で塞ぐように端板１５の裏面に雌側ジョイント部材２０を手で押し当て、この状態で防塵カバー１４の端板１５をサイドシール１３に近付ける。そして、端板１５に形成された貫通孔２１の中に雄側ジョイント部材１９を押し込むと、図１（ｂ）に示すように、雄側ジョイント部材１９と雌側ジョイント部材２０が互いに嵌合し、これにより、防塵カバー１４がサイドシール１３に取り付けられた状態となる。
【００１１】
このように、防塵カバー１４をリニアガイド装置のサイドシール１３に取り付けるに際して、互いに嵌合する雄側ジョイント部材１９と雌側ジョイント部材２０とからなり、雄側ジョイント部材１９が防塵カバー１４の端板１５に形成された貫通孔２１よりも直径の小さい外周面１９１を有すると共にサイドシール固定用ビス１７の頭部１７１と嵌合する凹部２２を一端面部に有し、かつ雌側ジョイント部材２０が貫通孔２１よりも直径の大きい外周面２０１を有するスナップ式ジョイント具１８を用いて、防塵カバー１４をリニアガイド装置のサイドシール１３に取り付けるようにすると、サイドシール固定用ビス１７をスライダ本体１２２の螺子穴から取り外したりすることなく防塵カバー１４をサイドシール１３に取り付けることが可能となる。したがって、防塵カバー１４をサイドシール１３に取り付ける際に、多くの手間を要したりサイドシール１３のシール性を低下させたりすることなく防塵カバー１４をサイドシール１３に取り付けることができる。
【図面の簡単な説明】
【００１２】
【図１】本発明に係るリニアガイド用防塵カバーの取付け方法を説明するための図で、（ａ）は防塵カバーをサイドシールに取り付ける前の状態を示す図、（ｂ）は防塵カバーをサイドシールに取り付けた後の状態を示す図である。
【図２】図１に示す雄側ジョイント部材の断面図である。
【図３】図１に示す雌側ジョイント部材の断面図である。
【図４】防塵カバーを備えたリニアガイド装置の平面図である。
【符号の説明】
【００１３】
１１  案内レール
１２  スライダ
１２１  スライダ本体
１２２  エンドキャップ
１３  サイドシール
１４  防塵カバー
１５  端板
１６  蛇腹部材
１７  サイドシール固定用ビス
１８  スナップ式ジョイント具
１９  雄側ジョイント部材
２０  雌側ジョイント部材
２１  貫通孔
２２  凹部
２３  段部
２４  爪部
【図１】
2007002874.tif 000003
【図２】
2007002874.tif 000004
【図３】
2007002874.tif 000005
【図４】
2007002874.tif 000006